(57)【要約】【課題】組立が容易で、かつパーツを増やすことなく低コストで経済的であり、オスコネクターとの嵌合部の液密性や気密性が充分であるメスコネクターの提供。【解決手段】本考案のメスコネクターは、円筒状コア部材（１）と、円筒状ハウジング（２）からなり、コア部材（１）の外径は、コア先端部（３）よりコア中間領域（５）が小さく、かつコア先端部（３）よりコア基端部（４）が大きく、ハウジング（２）は、コア先端側に位置するハウジングの外周にネジ部（６）を形成し、ハウジングの内壁は、コア先端部（３）からコア基端部に（４）向かって、先端側開口内壁部、内壁段差部から始まる最小内径内壁部及び末広がりの内壁テーパー部からなり、これらのうち内壁段差部から始まる最小内径内壁部と内壁テーパー部はコア中間領域に位置し、内壁段差部から始まる最小内径内壁部の内径はコア先端部外径より小さくする。【選択図】  図１
0003134238.tif 000002
【実用新案登録請求の範囲】
【請求項１】
内壁にテーパー状開口部を有するコア先端部、該開口部と連通する開口部を有するコア基端部及び両部の間にあるコア中間領域からなる円筒状コア部材と、該コア部材の外周上に回動自在に装着された円筒状ハウジングからなるメスコネクターにおいて、コア部材の外径は、コア先端部よりコア中間領域が小さく、かつコア先端部よりコア基端部が大きく、またハウジングには、コア先端側に位置するハウジングの外周にネジ部を有し、前記コア部材を嵌合したハウジングの内壁は、コア先端部からコア基端部に向かって、先端側開口内壁部、内壁段差部から始まる最小内径内壁部及び末広がりの内壁テーパー部を有し、これらのうち内壁段差部から始まる最小内径内壁部と内壁逆テーパー部は前記コア中間領域に位置し、内壁段差部から始まる最小内径内壁部の内径はコア先端部外径より小さいことを特徴とするメスコネクター。
【請求項２】
コア先端部は、その先端に向って外壁の端が細くなるテーパー状であることを特徴とする請求項１に記載のメスコネクター。
【請求項３】
ハウジングの内径において、ハウジング先端側開口部ではコア先端部の外径と略同じであり、コア基端側の内壁逆テーパー部の端では、コア先端部の外径より大きく、かつコア基端部の外径より小さいことを特徴とする請求項１又は２に記載のメスコネクター。
【請求項４】
ハウジングにおいて、コア基端側に位置するハウジング外壁の長軸方向に一対のウィングを形成し、コア先端部側のウィング端部の外周に環状突起部を有することを特徴とする請求項１乃至３のいずれかに記載のメスコネクター。
【考案の詳細な説明】
【技術分野】
【０００１】
本考案は血液回路の各種分岐チューブ、輸液または輸血用チューブ、各種カテーテルチューブなどの医療用流体誘導チューブの端部に設けられるメスコネクターに関するものある。
【背景技術】
【０００２】
前記医療用流体誘導チューブに設けられたメスコネクターは、他のチューブや機器類に設けられたオスコネクターと接続が可能になっている。メスコネクター内面には規定のルアーテーパーが形成され、外面には規定のネジ（凸部）が形成されており、一方、オスコネクターは二重同心円筒形状で、内円筒の外面には規定のルアーテーパーが形成されており、外円筒の内面には規定のネジが形成されており、両コネクターのネジとルアーテーパーを嵌合させることにより、液密性や気密性を確保している。
【０００３】
従来、メスコネクターとオスコネクターを嵌合する際、メスコネクターを回転しながら挿入するため、メスコネクターに接着されたチューブがねじれて使用しにくい上、時には、ねじれたチューブの復元力により両コネクターの嵌合部が緩むことで液密性または気密性が損なわれ、更には両コネクターの嵌合部が外れるという問題があり、このようなチューブねじれの問題を解決する手段として、メスコネクターをコア部材とコア部材の外周に回動し得るハウジング部材を装着した複数のパーツからなるメスコネクターが既に開示されている。これらにより嵌合時のチューブねじれは解消され、ねじれに起因するチューブ復元力により両コネクターの嵌合部の緩みによる液密性や機密性の低下や外れの危険性は低減されている。
【０００４】
このような中で、前記の複数パーツからなるメスコネクターでは、例えば、二つのパーツからなるメスコネクターはハウジング部材とコア部材から構成され、ハウジング部材がコア部材の外周で回動し得、かつこれら二つのパーツが外れないように、それぞれのパーツに凹部及び凸部を形成して、相互に嵌め合わせられている（例えば、特許文献１参照）。またコア部材やハウジング部材のそれぞれが相互に嵌め合うための凹部や凸部を設けなくとも、これら二つのパーツが外れないようにするために、三つ目のパーツを加えたメスコネクターも開示されている（例えば、特許文献２参照）。
【特許文献１】特開平１１−３１３８９６号公報
【特許文献２】特開２００５−１９２７８２号公報
【考案の開示】
【考案が解決しようとする課題】
【０００５】
しかしながら、特許文献１に開示されているようなタイプのメスコネクターの組立は、コア部材をハウジング部材に挿入して行うが、単純に両パーツを組み立てると組立後に二つのパーツに形成されている凹部又は凸部に潰れ・変形が発生し、このためにハウジング部材がコア部材の外周で回動することが不充分となることや、これら二つのパーツが外れる虞が生じることの問題があった。また、挿入時に二つのパーツに形成される凹部又は凸部の潰れ・変形を防止するために、組立時にコア部材又はハウジング部材を適度に加熱軟化させるという工程を用いるとしても、コア部材を軟化させて変形しながら、ハウジングに挿入した後に、元の形状を回復するという条件を設定して、それを維持することが困難であるとの問題があった。また特許文献２に記載されているコネクターは、三つ目のパーツが増えることによりコストが増加するとの問題があった。
【０００６】
そこで、本考案者は、ハウジングは従来の硬質材料であるポリプロピレンやポリカーボネートに代えて軟質材料のポリ塩化ビニルを用い、コア部材は従来どおりの軟質材料のポリ塩化ビニルで作製してメスコネクターを組み立てた。このメスコネクターでは、コア部材とハウジングの両パーツに形成された凹部及び凸部は組立後に潰れ・変形が減少したが、このメスコネクターとオスコネクターとの接続において、ハウジングのネジ部が軟質樹脂のために、このネジ部に螺合するオスコネクターのネジ部との噛み合いが低くなり、締め付け時にネジ部の空回りや締め付けの不足、又締め付け後に体液等によりコア部材の温度が上昇して軟化することによる緩みが生じて、両コネクターの嵌合部の液密性や気密性が不充分となるという問題が発生した。
【０００７】
更に、本考案者は、これらの問題点につき更に種々検討した結果、ハウジング内壁をテーパー状（内壁テーパー部）にし、コア部材をハウジングに挿入するときの入口となる内壁テーパー部の端の内径をコア先端部の外径より大きくし、他方の内壁テーパー部の端に続く内壁の内径をコア先端部の外径より小さくすることで、コア部材をハウジングに挿入してメスコネクターを組み立てるときに、これら二つのパーツに形成されている凹部又は凸部の潰れ・変形を減少・防止できるようになり、更にはコア部材又はハウジング部材を適度に加熱軟化させるという工程の省略もできることで組立が容易となり、またパーツが二つのみとなることにより経済的である構造を案出することができたもので、この知見に基づいて本考案のメスコネクターが完成した。従って、本考案が解決しようとする課題は、メスコネクターの組立が容易で、かつパーツを増やすことなく低コストで経済的であり、オスコネクターとの嵌合部の液密性や気密性が充分であるメスコネクターを提供するものである。
【課題を解決するための手段】
【０００８】
本考案の上記課題は、以下の各考案によってそれぞれ達成される。
（１）内壁にテーパー状開口部を有するコア先端部、該開口部と連通する開口部を有するコア基端部及び両部の間にあるコア中間領域からなる円筒状コア部材と、該コア部材の外周上に回動自在に装着された円筒状ハウジングからなるメスコネクターにおいて、コア部材の外径は、コア先端部よりコア中間領域が小さく、かつコア先端部よりコア基端部が大きく、またハウジングには、コア先端側に位置するハウジングの外周にネジ部を有し、前記コア部材を嵌合したハウジングの内壁は、コア先端部からコア基端部に向かって、先端側開口内壁部、内壁段差部から始まる最小内径内壁部及び末広がりの内壁テーパー部を有し、これらのうち内壁段差部から始まる最小内径内壁部と内壁逆テーパー部は前記コア中間領域に位置し、内壁段差部から始まる最小内径内壁部の内径はコア先端部外径より小さいことを特徴とするメスコネクター。
（２）コア先端部は、その先端に向って外壁の端が細くなるテーパー状であることを特徴とする前記第１項に記載のメスコネクター。
（３）ハウジングの内径において、ハウジング先端側開口部ではコア先端部の外径と略同じであり、コア基端側の内壁テーパー部の端では、コア先端部の外径より大きく、かつコア基端部の外径より小さいことを特徴とする前記第１項又は第２項に記載のメスコネクター。
（４）ハウジングにおいて、コア基端側に位置するハウジング外壁の長軸方向に一対のウィングを形成し、コア先端部側のウィング端部の外周に環状突起部を有することを特徴とする前記第１項乃至第３項のいずれかに記載のメスコネクター。
【考案の効果】
【０００９】
本考案の第１項に記載のメスコネクターによれば、コア部材の外径は、コア先端部よりコア中間領域が小さく、かつコア先端部よりコア基端部が大きく、ハウジングは、コア先端側に位置するハウジングの外周にネジ部を形成し、ハウジングの内壁は、コア先端部からコア基端部に向かって、先端側開口内壁部、内壁段差部から始まる最小内径内壁部及
び末広がりの内壁テーパー部からなることにより、コア部材をハウジングに挿入してメスコネクターを組み立てるときに、これら二つのパーツに形成されている凹部又は凸部の潰れ・変形を減少・防止できるようになり、更にはコア部材又はハウジング部材を適度に加熱軟化させるという工程の省略もできることで組立が容易となるという効果や、またパーツが二つのみとなることで優れた経済的効果を奏するものである。また本考案のメスコネクターは、ハウジング内壁のうち内壁段差部から始まる最小内径内壁部と内壁テーパー部はコア中間領域に位置し、内壁段差部から始まる最小内径内壁部の内径はコア先端部外径より小さくしたことにより、ハウジングはコア部材の外周上に回動自在になり、メスコネクターとの嵌合部の液密性や気密性が充分なものと成し得るという効果を奏するものである。
上記の本考案の第２項に記載のメスコネクターは、コア先端部は、その先端に向って外壁の端が細くなるテーパー状であることにより、これら二つのパーツに形成されている凹部又は凸部の潰れ・変形を減少・防止できる効果が更に高くなるとういう効果を奏するものである。
上記の本考案の第３項に記載のメスコネクターは、ハウジングの内径において、ハウジング先端側開口部ではコア先端部の外径と略同じであることにより、コア部材が体液等により温度が上昇して軟化しても、ハウジング部材は硬質性の樹脂であるので、コア部材の軟化による緩みを抑え、メスコネクターとの嵌合部の液密性や気密性を維持するという効果を奏するものである。またコア基端側の内壁テーパー部の端では、コア先端部の外径より大きく、かつコア基端部の外径より小さいことにより、ハウジングがコア基端側にずれることがない。このことにより、ハウジングの操作を安定して行なえるという効果を奏するものである。
上記の本考案の第４項に記載のメスコネクターは、ハウジングにおいて、コア基端側に位置するハウジング外壁の長軸方向に一対のウィングを形成することで、ハウジングを回動する操作を容易にするとの効果を奏し、コア先端部側のウィング端部の外周に環状突起部を有することにより、本考案のメスコネクターを把持する部分の確認が手探りでもできるようになることで更に操作が容易になるという効果を奏するものである。
【考案を実施するための最良の形態】
【００１０】
以下に、本考案について、図面を用いて具体的に説明するとともにその効果を説明する。しかし、本考案のメスコネクターの材料には多種多用であり、本明細書に記載されているコア部材１としての軟質材料であるポリ塩化ビニルやポリウレタン、ハウジング２としての硬質材料であるポリプロピレンやポリカーボネートは、メーカーやグレードにより材料の強度・弾性が異なるものであり、後述する本考案の寸法は影響されるものである。従って、本考案は、以下に説明する具体的事例に限定されるものではない。図１は本考案のメスコネクターであり、コア部材１とハウジング２から構成され、円筒状のコア部材１は円筒状のハウジング２に挿入されているだけであり、両パーツには円周方向に係止部分はなく、ただ嵌合しているだけであるので、コア部材に装着されたハウジング２はコア部材１の外周上で回動自在となっている。
【００１１】
図２（ａ）はコア部材１の平面図であり、図２（ｂ）は図２（ａ）のＡ−Ａによる半断面図である。これらの図に示されるように、コア部材１はコア先端部３、コア基端部４及び両部（３と４）に挟まれるコア中間領域５からなる円筒状コア部材であり、コア先端部３の内壁は、接続されるオスコネクター２０（図５参照）のオスコネクター内円筒２１のテーパーに対応したテーパー状開口部８を有し、コア基端部４にはテーパー状開口部８と連通した可撓性チューブ接続部９が形成されている。またコア部材１の外径は、コア先端部３よりコア中間領域５が小さく、かつコア先端部３よりコア基端部４が大きくなるように形成されている。尚、該コア部材１は軟質材料のポリ塩化ビニルやポリウレタン等により構成されている。
【００１２】
図３はハウジング２を示すものであり、（ａ）は左側面図、（ｂ）は平面図、（ｃ）は右側面図である。これらの図に示されるように、ハウジング２は、図１で示されるハウジング２がコア部材１に装着された状態でコア先端部側に位置するハウジング２の一端部の外周には、オスコネクター外円筒２２の内側に形成されている外円筒ネジ部２３に対応したネジ部６が、他方の端部には一対のウィング１０が、そしてネジ部６側のウィング１０の端に環状突起７が形成されている。
【００１３】
図４は図３（ｂ）のＢ−Ｂでの断面図であり、ハウジング２の内壁は、図１で示されるハウジング２がコア部材１に装着された状態でコア先端部３からコア基端部４に向かって、Ｚは先端側開口内壁部１３、内壁段差部１４、Ｙは該段差部１４から始まる最小内径内壁部１５及びＸは末広がりの内壁テーパー部１６からなり、これらのうち内壁段差部１４から始まる最小内径内壁部１５と内壁テーパー部１６はコア中間領域５の外周に位置し、内壁段差部１４から始まる最小内径内壁部１５の内径はコア先端部３の外径より小さくなるように形成されている。該ハウジング部材２は硬質材料のポリカーボネートやポリプロピレン等により構成される。
【００１４】
図５は本考案のメスコネクターとオスコネクター２０との接続状態を示す断面図であり、当図ではハウジング２の断面図のハッチングは省略している。同図に示されるように、本考案のメスコネクターは接続するオスコネクター２０の規格に制限を受ける。例えば、人工透析用ダイアライザーのオスコネクター２０の規格にはＥＮ１２８３があり、該規格にはオスコネクター２０の外円筒２２の内径や外円筒ネジ部２３、及び内円筒２１の内径やテーパー部の規格が図１に記載されている。更にオスコネクター２０と接続するメスコネクターの規格が図２に記載されており、オスコネクター２０と直接接続する本考案のメスコネクターハウジング２のネジ部６や該ネジ部６の周囲から環状突起部７近くまでの外壁部、コア部材１のテーパー状開口部８はＥＮ１２８３の規定されている規格に準ずることになる。このことにより、ハウジング２の外径は、ネジ部６でφ１２．７±０．１、該ネジ部６の周囲から環状突起部７近くまでの外壁部で最大φ１０．５、とし、コア部材１のテーパー状開口部８の端はφ６．３３＋０．０７５、−０とし、ネジ部６は、ＥＮ１２８３の図２に規定されている突起状のネジ部の規格やこの規格に準じた「ピッチ４  リード８  右２条」のネジ等とする。
【００１５】
他方、上記のＥＮ１２８３に規定されていない部分は次のようにする。全長について、コア部材１の全長は、２０〜５０ｍｍで好ましくは２５〜４５ｍｍ、ハウジング２の全長は１５〜４０ｍｍで、好ましくは２０〜３５である。コア部材２が２０ｍｍ未満となると、本考案のメスコネクターは小さすぎて、５０ｍｍを超えると大きすぎてメスコネクターの操作が不便となる。ハウジング２も同様に１５ｍｍ未満では小さすぎて、４０ｍｍを超えると大きすぎてメスコネクターの操作が不便となる。ハウジング２のネジ部６はオスコネクター２０の外円筒ネジ部２３と直接接続され、外円筒ネジ部２３との噛み合い、締め付けを充分なものとすることが必要であり、ネジ部６や先端側開口部１１には接続時に大きな負荷が掛かる。この接続時にハウジング２、特にネジ部６や先端側開口部１１の変形を避けるために、これらの肉厚を先端側開口部１１では肉厚は０．８〜１．０ｍｍとする。先端側開口部１１が０．８ｍｍ未満になるとオスコネクター２０との接続時に変形が起きる可能性があり、１．０ｍｍを超えると先端側開口部１１の内側に位置するコア先端部３の肉厚が薄くなり、コア先端部３がオスコネクター２０との接続時に変形が起きる可能性が生じてしまう。これらから、ＥＮ１２８３に記載のメスコネクターの外径の規定最大φ１０．５に準じて、先端側開口部１１の内径はφ８．５〜８．９となる。そしてハウジング先端側開口部１１の内側に位置するコア先端部３の外径は、ハウジング先端側開口部１１の内径より０．１ｍｍ程小さいφ８．４〜８．８とする。これらの内径と外径の大きさにより、本考案のメスコネクターとオスコネクター２０を接続・締め付け後に体液等によりコア部材１の温度が上昇して軟化しても、硬質材料のハウジング２が軟化したコア
部材を圧迫することで、両コネクターの嵌合部に緩みが生じて嵌合部の液密性や気密性が不充分となることを防止するという効果を奏する。
【００１６】
本考案のメスコネクターでは、図１に示すとおり、ハウジング２の内壁段差部１４と最小内径内壁部１５がコア先端部３の外径より小さいので、ハウジング２を時計回りに回してメスコネクターとオスコネクター２０とを接続するときに、内壁段差部１４がコア先端部３とコア中間領域５の境界となるコア先端側段差部（環状突起との段差部）１７を押すことにより、ハウジング２は外円筒２２と、コア部材１はオスコネクターの内円筒１と接続される。このように内壁段差部１４がコア先端側段差部１７を押し進めるために両段差部（１４と１７）が重なる幅は０．１〜０．８ｍｍ、好ましくは０．３〜０．６ｍｍである。両段差部が重なる幅が０．１ｍｍ未満となるとハウジング２がコア先端部３の上にずれ、内壁段差部１４がコア先端側段差部１７を押し進めることが不充分になる可能性があり、０．８ｍｍを超えるとメスコネクターの組立時のコア先端部３をハウジング２に挿入するときの負荷により、内壁段差部１４やコア先端側段差部１７に潰れ・変形が発生する可能性を高めてしまうという問題が生じることになる。これらから、コア先端部３の外径φ８．４〜８．８に対して最小内径内壁部１５の内径はφ７．６〜８．７、好ましくはφ７．８〜８．５となる。またハウジング２がコア部材１の外周上で回動自在となるように、最小内径内壁部１５とコア中間領域５のクリアランスを片側０．２ｍｍとし、コア中間領域５の外径はφ７．２〜８．３、好ましくはφ７．４〜８．１とする。
【００１７】
本考案のメスコネクターの組立は、コア先端部３をハウジング後端側開口部１２へ挿入し、更にコア先端部３を最小内径内壁部１５の端となる内壁段差部１４の先のハウジング先端側開口部１１まで進めることにより行なわれる。前記のとおり、ハウジング先端部３の外径は最小内径内壁部１５の内径より大きいので、コア部材１をハウジング２に圧入することになる。この圧入の際のコア先端部への負荷を軽減するために、コア先端部３の外壁の端をテーパー状にする。コア先端部の長さは３〜５ｍｍで、コア先端側段差部１７側の０．５〜１ｍｍを均一の外径とし、残りの部分を３〜８度の傾斜にする。
【００１８】
更に、ハウジング後端側開口端１９はコア先端側段差部１７の外径よりも大きくし、ハウジング後端側開口端１９から最小内径内壁部１６の境界部までの内壁テーパー部１６を１００分の１〜６の傾斜とする。このこと及びコア先端部３をテーパー状とすることにより、コア部材１をハウジング２に挿入してメスコネクターを組み立てるときに、コア先端側段差部１７や内径段差部１４の潰れ・変形を減少・防止できるようになり、更にはコア部材１又はハウジング２を適度に加熱軟化させるという工程の省略も可能となる。内壁テーパー部１６の内径は、ハウジング後端側開口端１９では、コア先端部３の外径φ８．４〜８．８より少し大きく、φ８．６〜９．０とし、他端となる最小内径内壁部１５との境界での内径は最小内径内壁部１５と同じφ７．６〜８．４とする。このようにハウジング後端側開口部１２の肉厚はハウジング後端側開口端１９で最も小さくなっている。内壁テーパー部１６の外壁の外径はハウジング先端側開口内壁部１３の外壁の外径と同じでもよいが、内壁テーパー部１６の外壁の外径はＥＮ１２８３に規定は無いので、その肉厚は任意で決めることができる。機能上からではその肉厚は０．８ｍｍ以上あればよく、好ましくは１．０〜１．２ｍｍであることが好ましい。
【００１９】
オスコネクター２０に接続した本考案のメスコネクターを外すときはハウジング２を反時計回りに回すことで、オスコネクター２０の外円筒２２からハウジング２は外れ、そのときハウジング後端側開口端１９の内径はコア基端部４の外径より小さいので、ハウジング後端側開口端１９がコア後端側段差部１８を押すことによりコア先端部３はオスコネクター２０の内円筒２１から外れる。ハウジング後端側開口端１９がコア後端側段差部１８を押し進めるために両部（１９と１８）が重なる幅は０．１〜０．５ｍｍ、好ましくは０．２〜０．４ｍｍであり、ハウジング後端側開口端１９の内径φ８．６〜９．０に対し
てコア基端部４の外径をφ８．７〜９．５、好ましくはφ８．８〜９．４とする。コア基端部４の可撓性チューブ接続部９に接続するチューブのサイズには複数ある。そのため外径接続するチューブの外径に応じて可撓性チューブ接続部９の内径を決め、例えば、接続チューブの外径がφ５．９〜６．８であるとき、それらよりやや小さい内径φ５．８〜６．７とする。またコア基端部４の長さは１〜２０ｍｍで、好ましくは８〜１５ｍｍである。コア基端部４は１ｍｍ以上であればハウジング後端側開口端１９がコア後端側段差部１８を充分に押し進めることができ、２０ｍｍを超えると、不用に大きくなる。またコア基端部４が８〜１５ｍｍであるとき、コア基端部４の可撓性チューブ接続部９にチューブを接続することが容易になる。
【００２０】
ハウジング２には、その外周の一端側にネジ部６が、そしてその他端側には一対のウィング１０が、そしてネジ部６側のウィング１０の端に環状突起７が形成されている。このウィング１０により、ハウジング２を回動させることに要する力を小さくすることができ、小さな力でオスコネクター２０との接続又は接続解除ができることで、これら操作を容易にするとの効果を奏する。ウィング１０の幅は５〜２０ｍｍ、好ましくは１０〜１５ｍｍ、長さ（突出方向の長さ）は２０〜４０ｍｍ、好ましくは２５〜３５ｍｍである。またウィング１０のコア先端部側のウィング端の外周に環状突起部７を有することにより、本考案のメスコネクターを把持する部分の確認が手探りでもできるようになることで更に操作が容易になるという効果を奏するものである。環状突起部７の高さは１〜５ｍｍ、好ましくは２〜３ｍｍである。環状突起部７の高さが１ｍｍ未満となるとハウジング１０上に滑り止めと形成される凹凸と区別が困難となり、また５ｍｍを超えると環状突起部７を跨いでハウジング２を把持したときに把持が不安定となる。
【産業上の利用可能性】
【００２１】
本考案のメスコネクターは、血液回路の各種分岐チューブの端部に設けられる接続具として使用されるばかりでなく、輸液または輸血用チューブ、各種カテーテルチューブなどの医療用流体誘導チューブの端部に設けられる接続具としても使用可能であり、広く医療用流体誘導チューブの技術分野において利用することができるものである。
【図面の簡単な説明】
【００２２】
【図１】本考案の実施例であり、ハウジング断面図、コア部材は上側半分が断面図となっている組図である。
【図２】（ａ）は本考案を構成するコア部材の平面図であり、（ｂ）は、（ａ）のＡ−Ａ線での半断面図である。
【図３】本考案を構成するハウジングを示すものであり、（ａ）は左側面図、（ｂ）は平面図、（ｃ）は右側面図である。
【図４】図３の（ｂ）のＢ−Ｂでの断面図である。
【図５】本考案のメスコネクターとオスコネクターの接続した状態を示す断面図である。
【符号の説明】
【００２３】
１  コア部材
２  ハウジング
３  コア先端部
４  コア基端部
５  コア中間領域
６  ネジ部
７  環状突起部
８  テーパー状開口部
９  可撓性チューブ接続部
１０  ウィング
１１  ハウジング先端側開口部
１２  ハウジング後端側開口部
１３  先端側開口内壁部
１４  内壁段差部
１５  最小内径内壁部
１６  内壁テーパー部
１７  コア先端側段差部
１８  コア基端側段差部
１９  ハウジング後端側開口端
２０  オスコネクター
２１  オスコネクター内円筒
２２  オスコネクター外円筒
２３  外円筒ネジ部
【図１】
0003134238.tif 000003
【図２】
0003134238.tif 000004
【図３】
0003134238.tif 000005
【図４】
0003134238.tif 000006
【図５】
0003134238.tif 000007
【手続補正書】
【提出日】平成19年6月4日(2007.6.4)
【手続補正１】
【補正対象書類名】実用新案登録請求の範囲
【補正対象項目名】全文
【補正方法】変更
【補正の内容】
【実用新案登録請求の範囲】
【請求項１】
内壁にテーパー状開口部を有するコア先端部、該開口部と連通する開口部を有するコア基端部及び両部の間にあるコア中間領域からなる円筒状コア部材と、該コア部材の外周上に回動自在に装着された円筒状ハウジングからなるメスコネクターにおいて、コア部材の外径は、コア先端部よりコア中間領域が小さく、かつコア先端部よりコア基端部が大きく、またハウジングには、コア先端側に位置するハウジングの外周にネジ部を有し、前記コア部材を嵌合したハウジングの内壁は、コア先端部からコア基端部に向かって、先端側開口内壁部、内壁段差部から始まる最小内径内壁部及び末広がりの内壁テーパー部を有し、これらのうち内壁段差部から始まる最小内径内壁部と内壁テーパー部は前記コア中間領域に位置し、内壁段差部から始まる最小内径内壁部の内径はコア先端部外径より小さいことを特徴とするメスコネクター。
【請求項２】
コア先端部は、その先端に向って外壁の端が細くなるテーパー状であることを特徴とする請求項１に記載のメスコネクター。
【請求項３】
ハウジングの内径において、ハウジング先端側開口部ではコア先端部の外径と略同じであり、コア基端側の内壁テーパー部の端では、コア先端部の外径より大きく、かつコア基端部の外径より小さいことを特徴とする請求項１又は２に記載のメスコネクター。
【請求項４】
ハウジングにおいて、コア基端側に位置するハウジング外壁の長軸方向に一対のウィングを形成し、コア先端部側のウィング端部の外周に環状突起部を有することを特徴とする請求項１乃至３のいずれかに記載のメスコネクター。
【手続補正２】
【補正対象書類名】明細書
【補正対象項目名】０００８
【補正方法】変更
【補正の内容】
【０００８】
本考案の上記課題は、以下の各考案によってそれぞれ達成される。
（１）内壁にテーパー状開口部を有するコア先端部、該開口部と連通する開口部を有する
コア基端部及び両部の間にあるコア中間領域からなる円筒状コア部材と、該コア部材の外周上に回動自在に装着された円筒状ハウジングからなるメスコネクターにおいて、コア部材の外径は、コア先端部よりコア中間領域が小さく、かつコア先端部よりコア基端部が大きく、またハウジングには、コア先端側に位置するハウジングの外周にネジ部を有し、前記コア部材を嵌合したハウジングの内壁は、コア先端部からコア基端部に向かって、先端側開口内壁部、内壁段差部から始まる最小内径内壁部及び末広がりの内壁テーパー部を有し、これらのうち内壁段差部から始まる最小内径内壁部と内壁テーパー部は前記コア中間領域に位置し、内壁段差部から始まる最小内径内壁部の内径はコア先端部外径より小さいことを特徴とするメスコネクター。
（２）コア先端部は、その先端に向って外壁の端が細くなるテーパー状であることを特徴とする前記第１項に記載のメスコネクター。
（３）ハウジングの内径において、ハウジング先端側開口部ではコア先端部の外径と略同じであり、コア基端側の内壁テーパー部の端では、コア先端部の外径より大きく、かつコア基端部の外径より小さいことを特徴とする前記第１項又は第２項に記載のメスコネクター。
（４）ハウジングにおいて、コア基端側に位置するハウジング外壁の長軸方向に一対のウィングを形成し、コア先端部側のウィング端部の外周に環状突起部を有することを特徴とする前記第１項乃至第３項のいずれかに記載のメスコネクター。